(57)【特許請求の範囲】
【請求項１】
光源と、
前記光源から射出された光を、画像信号に応じて画像光に変調する光変調装置と、
前記光変調装置で変調された前記画像光を投写する投写レンズと、
前記投写レンズに対して所定の調整動作を行うレンズ調整機構と、
前記レンズ調整機構に前記所定の調整動作を行わせるためのレンズ調整値を、前記画像信号のアスペクト比の種別に関連付けて記憶する調整値記憶部と、
前記画像信号を入力する入力端子を備える入力端子部と、
前記入力端子に入力されている前記画像信号のアスペクト比を信号アスペクト比として認識する信号アスペクト比認識部と、
前記信号アスペクト比認識部が認識した前記信号アスペクト比の種別に対応した前記レンズ調整値を、前記調整値記憶部から選択する調整値選択部と、
前記調整値選択部が選択した前記レンズ調整値に基づいたレンズ調整動作を、前記レンズ調整機構に行わせる調整制御部と、
を備え、
前記調整値記憶部は、前記画像信号のアスペクト比の種別に加え、前記入力端子の種別に関連付けて前記レンズ調整値を記憶し、
前記調整値選択部は、前記信号アスペクト比の種別および前記入力端子の種別に対応した前記レンズ調整値を、前記調整値記憶部から選択することを特徴とするプロジェクター。
【請求項２】
光源と、
前記光源から射出された光を、画像信号に応じて画像光に変調する光変調装置と、
前記光変調装置で変調された前記画像光を投写する投写レンズと、
前記投写レンズに対して所定の調整動作を行うレンズ調整機構と、
前記レンズ調整機構に前記所定の調整動作を行わせるためのレンズ調整値を、前記画像信号のアスペクト比の種別に関連付けて記憶する調整値記憶部と、
前記画像信号を入力する入力端子を備える入力端子部と、
前記入力端子に入力されている前記画像信号のアスペクト比を信号アスペクト比として認識する信号アスペクト比認識部と、
前記信号アスペクト比認識部が認識した前記信号アスペクト比の種別に対応した前記レンズ調整値を、前記調整値記憶部から選択する調整値選択部と、
前記調整値選択部が選択した前記レンズ調整値に基づいたレンズ調整動作を、前記レンズ調整機構に行わせる調整制御部と、
前記投写レンズが投写する前記画像光のアスペクト比として選択可能な選択アスペクト比の中から１つを選択させるアスペクト比選択部と、
前記入力端子に入力されている前記画像信号に基づく画像を、前記アスペクト比選択部によって選択された前記選択アスペクト比となるように変換する画像アスペクト比変換部と、
前記選択可能な選択アスペクト比の種別に関連付けて前記レンズ調整値を記憶する選択アスペクト比対応調整値記憶部と、
を備え、
前記アスペクト比選択部によって前記選択アスペクト比が選択された場合、前記調整値選択部は、前記選択アスペクト比に対応した前記レンズ調整値を、前記選択アスペクト比対応調整値記憶部から選択することを特徴とするプロジェクター。
【請求項３】
請求項１または２に記載のプロジェクターであって、
前記レンズ調整機構による前記所定の調整動作は、
焦点調整のためのフォーカス調整動作、投写画角を調整するズーム調整動作、および、前記投写レンズを移動させることによって画像の投写位置を調整するレンズシフト調整動作のうちの少なくとも１つとすることを特徴とするプロジェクター。
【請求項４】
請求項１乃至３のいずれか一項に記載のプロジェクターであって、
前記調整値記憶部に前記レンズ調整値を前記アスペクト比の種別に関連付けて記憶させる記憶制御部をさらに備え、
前記記憶制御部は、前記レンズ調整値を前記調整値記憶部に記憶させるときに、その時点で前記入力端子に入力されている前記画像信号の信号アスペクト比の種別に関連付けて記憶させることを特徴とするプロジェクター。
【請求項５】
請求項１乃至３のいずれか一項に記載のプロジェクターであって、
前記調整値記憶部に前記レンズ調整値を前記アスペクト比の種別に関連付けて記憶させる記憶制御部と、
操作を受け付ける操作受付部と、
をさらに備え、
前記操作受付部が、前記レンズ調整値を関連付けて記憶させるための前記アスペクト比の種別の選択操作を受け付けると、前記記憶制御部は、選択されたアスペクト比の種別に関連付けて、前記レンズ調整値を前記調整値記憶部に記憶させることを特徴とするプロジェクター。
【請求項６】
請求項１に記載のプロジェクターであって、
前記調整値記憶部に、前記画像信号のアスペクト比の種別に加え、前記入力端子の種別に関連付けて前記レンズ調整値を記憶させる記憶制御部をさらに備え、
前記記憶制御部は、前記レンズ調整値を前記調整値記憶部に記憶させるときに、その時点で前記入力端子に入力されている前記画像信号の信号アスペクト比の種別および前記入力端子の種別に関連付けて記憶させることを特徴とするプロジェクター。
【請求項７】
請求項１に記載のプロジェクターであって、
前記調整値記憶部に、前記画像信号の前記アスペクト比の種別に加え、前記入力端子の種別に関連付けて前記レンズ調整値を記憶させる記憶制御部と、
操作を受け付ける操作受付部と、
をさらに備え、
前記操作受付部が、前記レンズ調整値を関連付けて記憶させるための前記アスペクト比の種別および前記入力端子の種別の選択操作を受け付けると、前記記憶制御部は、選択されたアスペクト比の種別および入力端子の種別に関連付けて、前記レンズ調整値を前記調整値記憶部に記憶させることを特徴とするプロジェクター。
【請求項８】
請求項２に記載のプロジェクターであって、
前記選択アスペクト比対応調整値記憶部に前記レンズ調整値を前記選択アスペクト比の種別と関連付けて記憶させる選択記憶制御部と、
操作を受け付ける操作受付部と、
をさらに備え、
前記操作受付部が、前記レンズ調整値を関連付けて記憶させるための前記選択アスペクト比の種別の選択操作を受け付けると、前記選択記憶制御部は、選択された選択アスペクト比の種別に関連付けて、前記レンズ調整値を前記選択アスペクト比対応調整値記憶部に記憶させることを特徴とするプロジェクター。
【発明の詳細な説明】
【技術分野】
【０００１】
本発明は、プロジェクター、およびプロジェクターの制御方法に関する。
【背景技術】
【０００２】
近年、ズームやフォーカス、レンズシフト等の光学系（レンズ）の調整機構を備えたプロジェクターが知られている。特許文献１には、ズーム、フォーカス、レンズシフト等の光学系の調整に関する複数のパラメーターセット（レンズ調整値）をメモリーに記憶し、その中から所望のものを選択させ、選択されたパラメーターセットの各パラメーターに応じて光学系の調整を行うプロジェクター制御装置が開示されている。このようなプロジェクターは、プロジェクターを固定して設置し、投写画像に応じて複数のスクリーンを切り替えて使う態様の場合に有益である。例えば、画像信号（入力画像）には、アスペクト比が４：３や１６：９のものがあるため、スクリーンも画像信号に対応して、４：３や１６：９等の種類がある。このようにスクリーンの種類を切り替えて使用する場合には、スクリーンの切り替えにより発生する表示位置のずれを、パラメーターセットを変更してレンズ位置調整することで補正することが可能である。
【先行技術文献】
【特許文献】
【０００３】
【特許文献１】特開２００３−２９５３２１号公報
【発明の概要】
【発明が解決しようとする課題】
【０００４】
しかしながら、従来のプロジェクターでは、メモリーに記憶されているレンズ調整値（パラメーターセット）を確認することができない場合があった。つまり、メモリーにどのようなレンズ調整値を記憶させたかを、ユーザーが覚えておく必要があった。しかし、レンズ調整値をユーザーが覚えておくのは困難であるため、レンズ調整値を簡易に選択して、光学系の調整を行うことができるプロジェクターが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源と、前記光源から射出された光を、画像信号に応じて画像光に変調する光変調装置と、前記光変調装置で変調された前記画像光を投写する投写レンズと、前記投写レンズに対して所定の調整動作を行うレンズ調整機構と、前記レンズ調整機構に前記所定の調整動作を行わせるためのレンズ調整値を、前記画像信号のアスペクト比の種別に関連付けて記憶する調整値記憶部と、前記画像信号を入力する入力端子を備える入力端子部と、前記入力端子に入力されている前記画像信号のアスペクト比を信号アスペクト比として認識する信号アスペクト比認識部と、前記信号アスペクト比認識部が認識した前記信号アスペクト比の種別に対応した前記レンズ調整値を、前記調整値記憶部から選択する調整値選択部と、前記調整値選択部が選択した前記レンズ調整値に基づいたレンズ調整動作を、前記レンズ調整機構に行わせる調整制御部と、を備えることを特徴とする。
【０００７】
このようなプロジェクターによれば、レンズ調整機構は、投写レンズに対して所定の調整動作を行う。調整値記憶部は、レンズ調整値を画像信号のアスペクト比の種別に関連付けて記憶する。信号アスペクト比認識部は、入力されている画像信号の信号アスペクト比を認識する。調整値選択部は、入力されている画像信号の信号アスペクト比に対応したレンズ調整値を、調整値記憶部から選択する。そして、調整制御部は、選択したレンズ調整値に基づいたレンズ調整動作をレンズ調整機構に行わせる。これにより、プロジェクターは、入力されている画像信号の信号アスペクト比の種別に対応してレンズ調整動作を行うため、レンズ調整のためのユーザー操作を簡易化することができる。
【０００８】
［適用例２］上記適用例に係るプロジェクターにおいて、前記レンズ調整機構による前記所定の調整動作は、焦点調整のためのフォーカス調整動作、投写画角を調整するズーム調整動作、および、前記投写レンズを移動させることによって画像の投写位置を調整するレンズシフト調整動作のうちの少なくとも１つとすることを特徴とする。
【０００９】
このようなプロジェクターによれば、所定の調整動作は、フォーカス調整動作、ズーム調整動作、および、レンズシフト調整動作のうちの少なくとも１つとする。これにより、プロジェクターは、入力されている画像信号の信号アスペクト比に対応したレンズ調整値に基づいたフォーカス調整動作、ズーム調整動作、レンズシフト調整動作を行うため、レンズ調整のためのユーザー操作を簡易化することができる。
【００１０】
［適用例３］上記適用例に係るプロジェクターにおいて、前記調整値記憶部は、前記画像信号のアスペクト比の種別に加え、前記入力端子の種別に関連付けて前記レンズ調整値を記憶し、前記調整値選択部は、前記信号アスペクト比の種別および前記入力端子の種別に対応した前記レンズ調整値を、前記調整値記憶部から選択することを特徴とする。
【００１１】
このようなプロジェクターによれば、調整値記憶部は、レンズ調整値を画像信号のアスペクト比の種別および入力端子の種別に関連付けて記憶する。そして、調整値選択部は、画像信号のアスペクト比の種別および入力端子の種別に対応したレンズ調整値を選択する。これにより、プロジェクターは、入力されている画像信号の信号アスペクト比の種別および入力端子の種別に対応してレンズ調整動作を行うため、レンズ調整のためのユーザー操作を簡易化することができる。
【００１２】
［適用例４］上記適用例に係るプロジェクターにおいて、前記投写レンズが投写する前記画像光のアスペクト比として選択可能な選択アスペクト比の中から１つを選択させるアスペクト比選択部と、前記入力端子に入力されている前記画像信号に基づく画像を、前記アスペクト比選択部によって選択された前記選択アスペクト比となるように変換する画像アスペクト比変換部と、前記選択可能な選択アスペクト比の種別に関連付けて前記レンズ調整値を記憶する選択アスペクト比対応調整値記憶部をさらに有し、前記アスペクト比選択部によって前記選択アスペクト比が選択された場合、前記調整値選択部は、前記選択アスペクト比に対応した前記レンズ調整値を、前記選択アスペクト比対応調整値記憶部から選択することを特徴とする。
【００１３】
このようなプロジェクターによれば、アスペクト比選択部は、ユーザーに投写レンズが投写する画像光のアスペクト比（選択アスペクト比）を選択させる。画像アスペクト比変換部は、選択アスペクト比になるように画像変換を行う。選択アスペクト比対応調整値記憶部は、選択可能な選択アスペクト比の種別に関連付けてレンズ調整値を記憶する。そして、アスペクト比選択部によって選択アスペクト比が選択された場合、調整値選択部は、選択アスペクト比に対応したレンズ調整値を選択アスペクト比対応調整値記憶部から選択する。これにより、プロジェクターは、選択された選択アスペクト比に対応してレンズ調整動作を行うため、レンズ調整のためのユーザー操作を簡易化することができる。
【００１４】
［適用例５］上記適用例に係るプロジェクターにおいて、前記調整値記憶部に前記レンズ調整値を前記アスペクト比の種別に関連付けて記憶させる記憶制御部をさらに備え、前記記憶制御部は、前記レンズ調整値を前記調整値記憶部に記憶させるときに、その時点で前記入力端子に入力されている前記画像信号の信号アスペクト比の種別に関連付けて記憶させることを特徴とする。
【００１５】
このようなプロジェクターによれば、記憶制御部は、調整値記憶部にレンズ調整値を記憶させるときに、その時点で入力端子に入力されている画像信号の信号アスペクト比の種別に関連付けて記憶させる。これにより、調整を行っている画像信号のアスペクト比と関連付けてレンズ調整値が記憶されるため、ユーザーは調整操作を戸惑うことなく行うことができる。
【００１６】
［適用例６］上記適用例に係るプロジェクターにおいて、前記調整値記憶部に前記レンズ調整値を前記アスペクト比の種別に関連付けて記憶させる記憶制御部と、操作を受け付ける操作受付部と、をさらに備え、前記操作受付部が、前記レンズ調整値を関連付けて記憶させるための前記アスペクト比の種別の選択操作を受け付けると、前記記憶制御部は、選択されたアスペクト比の種別に関連付けて、前記レンズ調整値を前記調整値記憶部に記憶させることを特徴とする。
【００１７】
このようなプロジェクターによれば、レンズ調整値を関連付けて記憶させるためのアスペクト比の種別の選択を受け付けると、記憶制御部は、選択されたアスペクト比の種別に関連付けてレンズ調整値を調整値記憶部に記憶させる。これにより、レンズ調整値を所望のアスペクト比と関連付けて記憶させることができるので、ユーザーの利便性が向上する。
【００１８】
［適用例７］上記適用例に係るプロジェクターにおいて、前記調整値記憶部に、前記画像信号のアスペクト比の種別に加え、前記入力端子の種別に関連付けて前記レンズ調整値を記憶させる記憶制御部をさらに備え、前記記憶制御部は、前記レンズ調整値を前記調整値記憶部に記憶させるときに、その時点で前記入力端子に入力されている前記画像信号の信号アスペクト比の種別および前記入力端子の種別に関連付けて記憶させることを特徴とする。
【００１９】
このようなプロジェクターによれば、記憶制御部は、調整値記憶部にレンズ調整値を記憶させるときに、その時点で入力端子に入力されている画像信号の信号アスペクト比の種別および入力端子の種別に関連付けて記憶させる。これにより、レンズ調整値が、調整を行っている画像信号のアスペクト比および入力端子に関連付けて記憶されるため、ユーザーは調整操作を戸惑うことなく行うことが可能になる。
【００２０】
［適用例８］上記適用例に係るプロジェクターにおいて、前記調整値記憶部に、前記画像信号の前記アスペクト比の種別に加え、前記入力端子の種別に関連付けて前記レンズ調整値を記憶させる記憶制御部と、操作を受け付ける操作受付部と、をさらに備え、前記操作受付部が、前記レンズ調整値を関連付けて記憶させるための前記アスペクト比の種別および前記入力端子の種別の選択操作を受け付けると、前記記憶制御部は、選択されたアスペクト比の種別および入力端子の種別に関連付けて、前記レンズ調整値を前記調整値記憶部に記憶させることを特徴とする。
【００２１】
このようなプロジェクターによれば、レンズ調整値を関連付けて記憶させるためのアスペクト比の種別および入力端子の種別の選択を受け付けると、記憶制御部は、選択されたアスペクト比の種別および入力端子の種別に関連付けて、レンズ調整値を調整値記憶部に記憶させる。これにより、レンズ調整値を所望のアスペクト比および入力端子と関連付けて記憶させることができるので、ユーザーの利便性が向上する。
【００２２】
［適用例９］上記適用例に係るプロジェクターにおいて、前記選択アスペクト比対応調整値記憶部に前記レンズ調整値を前記選択アスペクト比の種別と関連付けて記憶させる選択記憶制御部と、操作を受け付ける操作受付部と、をさらに備え、前記操作受付部が、前記レンズ調整値を関連付けて記憶させるための前記選択アスペクト比の種別の選択操作を受け付けると、前記選択記憶制御部は、選択された選択アスペクト比の種別に関連付けて、前記レンズ調整値を前記選択アスペクト比対応調整値記憶部に記憶させることを特徴とする。
【００２３】
このようなプロジェクターによれば、記憶制御部は、レンズ調整値を関連付けて記憶させるための選択アスペクト比の種別の選択を受け付け、選択された選択アスペクト比の種別に関連付けてレンズ調整値を調整値記憶部に記憶させる。これにより、レンズ調整値を所望の選択アスペクト比と関連付けて記憶させることができるので、ユーザーの利便性が向上する。
【００２４】
［適用例１０］本適用例に係るプロジェクターの制御方法は、光源と、前記光源から射出された光を、画像信号に応じて画像光に変調する光変調装置と、前記光変調装置で変調された前記画像光を投写する投写レンズと、前記投写レンズに対して所定の調整動作を行うレンズ調整機構と、前記レンズ調整機構に前記所定の調整動作を行わせるためのレンズ調整値を、前記画像信号のアスペクト比の種別と関連付けて記憶する調整値記憶部と、前記画像信号を入力する入力端子を備える入力端子部と、を有するプロジェクターの制御方法であって、前記入力端子に入力されている前記画像信号のアスペクト比を信号アスペクト比として認識する信号アスペクト比認識ステップと、前記信号アスペクト比認識ステップによって認識された前記信号アスペクト比の種別に対応した前記レンズ調整値を、前記調整値記憶部から選択する調整値選択ステップと、前記調整値選択ステップによって選択された前記レンズ調整値に基づいたレンズ調整動作を、前記レンズ調整機構に行わせる調整制御ステップと、を備えることを特徴とする。
【００２５】
このようなプロジェクターの制御方法によれば、プロジェクターは、入力されている画像信号の信号アスペクト比の種別に対応してレンズ調整動作を行うため、レンズ調整のためのユーザー操作を簡易化することができる。
【００２６】
また、上述したプロジェクターおよびその制御方法がプロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００２７】
【図１】第１の実施形態に係るプロジェクターの回路構成を示すブロック図。
【図２】調整値記憶部の説明図。
【図３】レンズ調整値設定画面の説明図。
【図４】画像信号に変化があった際に行うレンズ調整処理のフローチャート。
【図５】第２の実施形態に係る調整値記憶部の説明図。
【図６】レンズ調整値設定画面の説明図。
【図７】画像信号に変化があった際に行うレンズ調整処理のフローチャート。
【図８】第３の実施形態に係るプロジェクターの回路構成を示すブロック図。
【図９】選択アスペクト比対応調整値記憶部の説明図。
【図１０】レンズ調整値設定画面の説明図。
【図１１】選択アスペクト比の種別が切り替えられた際に行うレンズ調整処理のフローチャート。
【発明を実施するための形態】
【００２８】
以下、実施形態について説明する。
【００２９】
（第１の実施形態）
第１の実施形態では、入力されている画像信号のアスペクト比（信号アスペクト比）が変更されたときに、その信号アスペクト比に対応したレンズ調整値に基づいてレンズ調整動作を行うプロジェクターについて説明する。
【００３０】
図１は、第１の実施形態に係るプロジェクターの回路構成を示すブロック図である。図１を使用して、プロジェクター１の内部構成について説明する。
【００３１】
プロジェクター１は、画像投写部１０、制御部２０、操作受付部２１、調整値記憶部２２、光源制御部２３、フォーカス制御部２４、ズーム制御部２５、レンズシフト制御部２６、入力端子部３０、入力選択部３１、信号解析部３２、画像処理部３３、ＯＳＤ（オンスクリーンディスプレイ）処理部３４等を備えている。
【００３２】
画像投写部１０は、光源１１、光変調装置としての３つの液晶ライトバルブ１２Ｒ，１２Ｇ，１２Ｂ、投写レンズ１３、ライトバルブ駆動部１４、フォーカス調整機構１３１、ズーム調整機構１３２、レンズシフト調整機構１３３等を含んでいる。画像投写部１０は、光源１１から射出された光を、液晶ライトバルブ１２Ｒ，１２Ｇ，１２Ｂで変調して画像光を形成し、この画像光を投写レンズ１３から投写してスクリーンＳＣ１またはＳＣ２等に表示する。ここで、本実施形態では、スクリーンＳＣ１は、アスペクト比が４：３用のスクリーンとし、スクリーンＳＣ２は、アスペクト比が１６：９用のスクリーンとする。
【００３３】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３色である赤色Ｒ、緑色Ｇ、青色Ｂの各色光成分に分離された後、それぞれ液晶ライトバルブ１２Ｒ，１２Ｇ，１２Ｂに入射する。
【００３４】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から投写される。
【００３５】
投写レンズ１３は、フォーカスレンズ１３ａを有しており、フォーカスレンズ１３ａの位置を移動することで焦点調整（フォーカス調整）を可能としている。また、投写レンズ１３は、ズームレンズ１３ｂを有しており、ズーム状態を変更することで投写画角の調整を可能としている。
【００３６】
フォーカス調整機構１３１は、モーターおよびギヤ等により構成され、フォーカス制御部２４からの制御に基づいて、フォーカスレンズ１３ａを駆動（移動）し、フォーカス調整を行う。また、フォーカス調整機構１３１は、フォーカスレンズ１３ａの位置をフォーカス調整値（フォーカス量）として検出する。そして、検出結果であるフォーカス調整値をフォーカス制御部２４に出力する。本実施形態では、フォーカス調整値を検出する方法としては、フォーカスレンズ１３ａの変化量をエンコーダー等によって検出する。なお、フォーカス調整値を検出する他の方法としては、フォーカス調整機構１３１のモーターをステッピングモーターとし、そのステッピングモーターのステップ数に基づいて検出するようにしてもよい。
【００３７】
ズーム調整機構１３２は、モーターおよびギヤ等により構成され、ズーム制御部２５からの制御に基づいて、ズームレンズ１３ｂを駆動（移動）し、ズーム調整を行う。また、ズーム調整機構１３２は、ズームレンズ１３ｂのズーム状態をズーム調整値（ズーム量）として検出する。そして、検出結果であるズーム調整値をズーム制御部２５に出力する。本実施形態では、ズーム調整値を検出する方法としては、ズームレンズ１３ｂの変化量をエンコーダー等によって検出する。なお、ズーム調整値を検出する他の方法としては、ズーム調整機構１３２のモーターをステッピングモーターとし、そのステッピングモーターのステップ数に基づいて検出するようにしてもよい。
【００３８】
レンズシフト調整機構１３３は、投写レンズ１３を移動させるモーターおよびギヤ等により構成され、レンズシフト制御部２６からの制御に基づいて、投写レンズ１３を移動させ、これにより投写画像の投写位置を変更する。また、レンズシフト調整機構１３３は、投写レンズ１３のレンズシフト状態をレンズシフト調整値（レンズシフト量）として検出する。そして、検出結果であるレンズシフト調整値をレンズシフト制御部２６に出力する。本実施形態では、レンズシフト調整値を検出する方法としては、投写レンズ１３の位置変化量をエンコーダー等によって検出する。なお、レンズシフト調整値を検出する他の方法としては、レンズシフト調整機構１３３のモーターをステッピングモーターとし、そのステッピングモーターのステップ数に基づいて検出するようにしてもよい。
【００３９】
上述したフォーカス調整機構１３１、ズーム調整機構１３２、およびレンズシフト調整機構１３３がレンズ調整機構に相当する。
【００４０】
制御部２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。
【００４１】
操作受付部２１は、ユーザーからの入力操作を受け付けるものであり、ユーザーがプロジェクター１に対して各種指示を行うための複数の操作キーを備えている。操作受付部２１が備える操作キーとしては、電源のオン・オフを切り替えるための電源キー、入力された画像信号を切り替えるための入力切替キー、フォーカス調整を行うためのフォーカス調整キー、ズーム調整を行うためのズーム調整キー、レンズシフト調整を行うためのレンズシフト調整キー、投写する画像光のアスペクト比を切り替えるための投写アスペクト比切替キー、各種設定を行うためのメニュー画面の表示・非表示を切り替えるメニューキー、メニュー画面におけるカーソルの移動等に用いられるカーソルキー、各種設定を決定するための決定キー等がある。ユーザーが操作受付部２１の各種操作キーを操作（押下）すると、操作受付部２１は、この入力操作を受け付けて、ユーザーの操作内容に応じた操作信号を制御部２０に出力する。
【００４２】
なお、操作受付部２１として、遠隔操作が可能なリモコン（図示せず）を用いた構成としてもよい。この場合、リモコンは、ユーザーの操作内容に応じた赤外線等の操作信号を発信し、図示しないリモコン信号受信部がこれを受信して制御部２０に伝達する。
【００４３】
調整値記憶部２２は、不揮発性のメモリーからなり、画像信号の信号アスペクト比に対応付けられたフォーカス調整値、ズーム調整値、およびレンズシフト調整値を記憶する。調整値記憶部２２に対するフォーカス調整値、ズーム調整値、およびレンズシフト調整値の書き込みは、制御部２０が行う。また、記憶されたフォーカス調整値、ズーム調整値、およびレンズシフト調整値は、制御部２０によって読み出される。
【００４４】
ここで、調整値記憶部２２について説明する。
図２は、調整値記憶部２２の説明図である。図２に示すように、調整値記憶部２２は、信号アスペクト比の種別に対応したレンズ調整値として、フォーカス調整値、ズーム調整値、レンズシフト調整値を記憶する。本実施形態のプロジェクター１では、信号アスペクト比の種別として、「４：３」および「１６：９」を備えている。そして、それぞれの信号アスペクト比の種別に対応したフォーカス調整値、ズーム調整値、レンズシフト調整値が記憶されている。なお、信号アスペクト比の種別はこれらに限定するものではなく、その他の信号アスペクト比の種別に対応してもよい。そして、調整値記憶部２２は、その他の信号アスペクト比の種別に対応するレンズ調整値を記憶してもよい。
【００４５】
ここで、レンズ調整値を信号アスペクト比の種別に関連付けて調整値記憶部２２に記憶させるための設定画面について説明する。
図３は、レンズ調整値を信号アスペクト比の種別に関連付けて設定させるためのレンズ調整値設定画面の説明図である。レンズ調整値設定画面Ｍ１は、ユーザーが操作受付部２１に備わるメニューキーを押下して、所定の操作を行うことにより表示される。本実施形態では、レンズ調整値設定画面Ｍ１は、ＯＳＤ表示とし、制御部２０が後述するＯＳＤ処理部３４に指示を行って表示させる。
【００４６】
図３に示すように、レンズ調整値設定画面Ｍ１の最上部には、レンズ調整値設定画面であることを示す「レンズ調整値設定」の文字列が表示されている。その下には、レンズ調整値を関連付ける信号アスペクト比の選択を促すための「現在のレンズ調整値を関連付ける入力信号のアスペクト比を選択してください。」の文字列が表示されている。さらに、画面中央には、「入力されている信号のアスペクト比」、「４：３」、「１６：９」および「レンズ調整値をクリア」の選択肢が表示されている。そして、画面下部には、キー入力手順についての説明が表示されている。
【００４７】
ユーザーが操作受付部２１を操作して、画面上で「入力されている信号のアスペクト比」、「４：３」、または「１６：９」を選択して、決定キーによって決定すると、制御部２０は、現在のレンズ調整値（フォーカス調整値、ズーム調整値、レンズシフト調整値）を選択されたアスペクト比に関連付けて、調整値記憶部２２に記憶させる。このときの操作受付部２１および制御部２０が記憶制御部に相当する。ここで、「入力されている信号のアスペクト比」とは、現在入力されている画像信号の信号アスペクト比である。なお、本実施形態では、選択肢のデフォルトは「入力されている信号のアスペクト比」とする。また、「レンズ調整値をクリア」が選択されると、制御部２０は、調整値記憶部２２に記憶されている全てのレンズ調整値を消去（クリア）する。即ちレンズ調整値が記憶されていない状態にする。なお、調整値記憶部２２に記憶されているレンズ調整値は、信号アスペクト比毎に消去（クリア）可能としてもよい。例えば、レンズ調整値消去のための画面（図示せず）を表示して、ユーザーに信号アスペクト比を選択させ、選択された信号アスペクト比に関連付けられたレンズ調整値を消去することが可能である。
【００４８】
図１に戻り、光源制御部２３は、電源回路（図示せず）で生成された直流電流を交流矩形波電流に変換するインバーター（図示せず）や、光源ランプ１１ａの電極間の絶縁破壊を行って、光源ランプ１１ａの始動を促すためのイグナイター（図示せず）等を備えており、制御部２０の指示に基づいて光源１１の点灯を制御する。具体的には、光源制御部２３は、光源１１を始動させて所定の電力を供給することにより光源１１を点灯させるとともに、電力の供給を停止して光源１１を消灯させることができる。また、光源制御部２３は、制御部２０の指示に基づいて光源１１に供給する電力を制御することにより、光源１１の輝度（明るさ）を調整することが可能である。
【００４９】
フォーカス制御部２４は、制御部２０の指示に基づいて、フォーカス調整機構１３１を制御してフォーカスレンズ１３ａを移動させ、フォーカス調整を行う。また、フォーカス制御部２４は、フォーカス調整機構１３１からフォーカス調整値を入力し、制御部２０に出力する。
【００５０】
ズーム制御部２５は、制御部２０の指示に基づいて、ズーム調整機構１３２を制御してズームレンズ１３ｂを移動させ、ズーム調整を行う。また、ズーム制御部２５は、ズーム調整機構１３２からズーム調整値を入力し、制御部２０に出力する。
【００５１】
レンズシフト制御部２６は、制御部２０の指示に基づいて、レンズシフト調整機構１３３を制御して投写レンズ１３を移動させ、レンズシフト調整を行う。また、レンズシフト制御部２６は、レンズシフト調整機構１３３からレンズシフト調整値を入力し、制御部２０に出力する。
【００５２】
入力端子部３０は、パーソナルコンピューターやビデオ再生装置、メモリーカード、ＵＳＢストレージ、デジタルカメラ等、図示しない外部の画像供給装置から、各種形式の画像信号を入力可能な複数の入力端子３０ａを備えている。各入力端子３０ａに入力された画像信号は、入力選択部３１に供給される。
【００５３】
入力選択部３１は、複数の入力端子３０ａのうち、制御部２０の指示に基づく１つの入力端子３０ａを選択して、信号解析部３２に出力する。ユーザーが、操作受付部２１に備わる入力切替キーを操作して所望の入力端子３０ａを指定すると、制御部２０は、この入力端子３０ａに入力されている画像信号が、信号解析部３２に出力されるよう、入力選択部３１に指示をする。なお、ユーザーは、画像信号が入力されていない入力端子３０ａを選択することも可能である。
【００５４】
信号解析部３２は、制御部２０の指示に基づいて、入力選択部３１から入力される画像信号を解析し、画像処理部３３で処理可能な形式の画像情報に変換して、画像処理部３３に出力する。ここで、信号解析部３２は、入力される画像信号のアスペクト比、即ち信号アスペクト比を認識する。そして、信号解析部３２は、信号アスペクト比を制御部２０に通知する。このときの信号解析部３２が信号アスペクト比認識部に相当する。
【００５５】
画像処理部３３は、信号解析部３２から入力される画像情報を、液晶ライトバルブ１２Ｒ，１２Ｇ，１２Ｂの各画素の階調を表す画像データに変換する。ここで、変換された画像データは、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部３３は、制御部２０からの指示に基づき、画像データのアスペクト比の変換を行う。さらに、画像処理部３３は、制御部２０の指示に基づき、変換した画像データに対して、明るさ、コントラスト、シャープネス、色合い等を調整するための画質調整処理等を行い、処理後の画像データをＯＳＤ処理部３４に出力する。
【００５６】
ＯＳＤ処理部３４は、制御部２０の指示に基づいて、メニュー画面やメッセージ画面等のＯＳＤ画像を、画像処理部３３から入力される画像データに重畳する処理を行う。ＯＳＤ処理部３４は、図示しないＯＳＤメモリーを備えており、ＯＳＤ画像を形成するための図形やフォント等を表すＯＳＤ画像データを記憶している。制御部２０が、ＯＳＤ画像の重畳を指示すると、ＯＳＤ処理部３４は、必要なＯＳＤ画像データをＯＳＤメモリーから読み出し、入力画像の所定の位置にＯＳＤ画像が重畳されるように、画像処理部３３から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部３４は、画像処理部３３から出力される画像データを、そのままライトバルブ駆動部１４に出力する。
【００５７】
ライトバルブ駆動部１４が、ＯＳＤ処理部３４から入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３から投写される。
【００５８】
次に、信号解析部３２に入力されている画像信号に変化があった際に、プロジェクター１が行うレンズ調整の動作について説明する。ここで、画像信号の変化とは、画像信号の種別が変更されたり、画像信号の入力が無い状態から有る状態に変更されたり、プロジェクター１が電源投入されて画像信号を認識する場合等を示す。
【００５９】
図４は、プロジェクター１に入力されている画像信号に変化があった際に行うレンズ調整処理のフローチャートである。図４を用いて、画像信号変化時のレンズ調整処理を説明する。
【００６０】
信号解析部３２が入力されている画像信号の変化を検出すると、画像信号に基づく信号アスペクト比を認識し、制御部２０に通知する（ステップＳ１０１）。制御部２０は、調整値記憶部２２に信号アスペクト比に対応したレンズ調整値が記憶されているか否かを判断する（ステップＳ１０２）。
【００６１】
レンズ調整値が記憶されていれば（ステップＳ１０２：ＹＥＳ）、制御部２０は、調整値記憶部２２から、信号アスペクト比に対応したフォーカス調整値とズーム調整値とレンズシフト調整値とを取得する（ステップＳ１０３）。このときの制御部２０が調整値選択部に相当する。
【００６２】
制御部２０は、フォーカス制御部２４とズーム制御部２５とレンズシフト制御部２６とに指示を出して、フォーカス調整値とズーム調整値とレンズシフト調整値とに応じたレンズ調整動作を行わせる（ステップＳ１０４）。即ち、フォーカス制御部２４は、取得したフォーカス調整値になるようにフォーカス調整を行い、ズーム制御部２５は、取得したズーム調整値になるようにズーム調整を行い、レンズシフト制御部２６は、取得したレンズシフト調整値になるようにレンズシフト調整を行う。このときの制御部２０、フォーカス制御部２４、ズーム制御部２５およびレンズシフト制御部２６が調整制御部に相当する。そして、画像信号変化時のレンズ調整処理を終了する。
【００６３】
レンズ調整値が記憶されていなければ（ステップＳ１０２：ＮＯ）、レンズ調整動作を行わずに、画像信号変化時のレンズ調整処理を終了する。
【００６４】
上述した第１の実施形態によれば、以下の効果が得られる。
（１）プロジェクター１は、入力されている画像信号に変化があった際に、調整値記憶部２２から、画像信号の信号アスペクト比に対応したフォーカス調整値とズーム調整値とレンズシフト調整値とを取得する。そして、制御部２０は、フォーカス制御部２４とズーム制御部２５とレンズシフト制御部２６とに指示を出して、フォーカス調整値とズーム調整値とレンズシフト調整値とに応じたレンズ調整動作を行わせる。これにより、ユーザーが画像信号の変更操作を行うことによって、プロジェクター１は、画像信号の信号アスペクト比に対応したレンズ調整動作を行うため、ユーザーは、レンズ調整のための操作を行う必要がない。つまり、ユーザーは、画像信号を変更し、その画像信号に対応したスクリーン（ＳＣ１，ＳＣ２）に切り替えた場合に、レンズ調整操作を行わなくてもよい。よって、ユーザー操作を簡易化することができる。また、レンズ調整のための時間を短縮することができる。
【００６５】
（２）プロジェクター１は、レンズ調整値設定画面Ｍ１を表示して、ユーザーにアスペクト比を選択させる。このとき、「入力されている信号のアスペクト比」が選択されると、その時点で入力されている画像信号の信号アスペクト比と、その時点のレンズ調整値とが関連付けられて調整値記憶部２２に記憶される。これにより、ユーザーは、レンズ調整の作業を戸惑うことなく行うことができる。
【００６６】
（３）プロジェクター１は、レンズ調整値設定画面Ｍ１を表示して、ユーザーにアスペクト比を選択させる。このとき、「４：３」または「１６：９」が選択されると、選択されたアスペクト比と、現在のレンズ調整値が関連付けられて調整値記憶部２２に記憶される。これにより、レンズ調整の作業を行っているユーザーは、レンズ調整値を任意のアスペクト比に関連付けて記憶させることが可能になるため、利便性が高い。
【００６７】
（４）プロジェクター１は、信号アスペクト比に対応してレンズ調整値（フォーカス調整値、ズーム調整値、レンズシフト調整値）を記憶する。これにより、ユーザーは、入力される画像信号の信号アスペクト比に応じてスクリーンＳＣ１，ＳＣ２を使い分けることが可能となり、利便性が向上する。また、同じスクリーンに対しても、信号アスペクト比に応じてレンズ調整値を変更して使用することも可能であり、有益である。
【００６８】
（第２の実施形態）
第２の実施形態では、入力されている画像信号の信号アスペクト比が変更されたときに、その信号アスペクト比および入力端子３０ａの種別に対応したレンズ調整値に基づいてレンズ調整動作を行うプロジェクターについて説明する。
【００６９】
第２の実施形態のプロジェクター１００の回路構成は、図１に示した第１の実施形態のプロジェクター１と、調整値記憶部２２ａが異なる。その他の構成部は同様であるため、説明は省略する。
【００７０】
調整値記憶部２２ａは、不揮発性のメモリーからなり、入力信号の信号アスペクト比の種別および入力端子３０ａの種別に対応付けられたフォーカス調整値、ズーム調整値、およびレンズシフト調整値を記憶する。調整値記憶部２２ａに対するフォーカス調整値、ズーム調整値、およびレンズシフト調整値の書き込みは、制御部２０が行う。また、記憶されたフォーカス調整値、ズーム調整値、およびレンズシフト調整値は、制御部２０によって読み出される。
【００７１】
ここで、調整値記憶部２２ａについて説明する。
図５は、第２の実施形態に係る調整値記憶部２２ａの説明図である。図５に示すように、調整値記憶部２２ａは、入力信号の信号アスペクト比の種別および入力端子３０ａの種別に対応したレンズ調整値として、フォーカス調整値、ズーム調整値、レンズシフト調整値を記憶する。本実施形態のプロジェクター１００では、信号アスペクト比の種別として、「４：３」および「１６：９」を備えている。また、入力端子３０ａの種別としては、「コンピューター」、「ビデオ」および「ＨＤＭＩ」を備えている。そして、信号アスペクト比および入力端子３０ａに対応付けられて、フォーカス調整値、ズーム調整値、レンズシフト調整値が記憶されている。なお、信号アスペクト比の種別はこれらに限定するものではなく、その他の信号アスペクト比の種別に対応してもよい。また、入力端子３０ａの種別はこれらに限定するものではなく、その他の入力端子３０ａの種別に対応してもよい。そして、調整値記憶部２２ａは、その他の信号アスペクト比の種別および入力端子３０ａの種別に対応付けられたレンズ調整値を記憶してもよい。
【００７２】
ここで、レンズ調整値を信号アスペクト比の種別および入力端子３０ａの種別に関連付けて調整値記憶部２２ａに記憶させるための設定画面について説明する。
図６は、レンズ調整値を信号アスペクト比の種別および入力端子３０ａの種別に関連付けて設定させるためのレンズ調整値設定画面の説明図である。レンズ調整値設定画面Ｍ２は、ユーザーが操作受付部２１に備わるメニューキーを押下して、所定の操作を行うことにより表示される。本実施形態では、レンズ調整値設定画面Ｍ２は、ＯＳＤ表示とし、制御部２０がＯＳＤ処理部３４に指示を行って表示させる。
【００７３】
図６に示すように、レンズ調整値設定画面Ｍ２の最上部には、レンズ調整値設定画面であることを示す「レンズ調整値設定」の文字列が表示されている。その下には、レンズ調整値を関連付ける信号アスペクト比および入力端子３０ａの選択を促すための「現在のレンズ調整値を関連付ける入力信号のアスペクト比と入力端子を選択してください。」の文字列が表示されている。さらに、画面中央には、「入力されている信号のアスペクト比」、「４：３」および「１６：９」の選択肢と、「現在選択中の入力端子」、「コンピューター」、「ビデオ」および「ＨＤＭＩ」の選択肢と、「レンズ調整値をクリア」の選択肢とが表示されている。そして、画面下部には、キー入力手順についての説明が表示されている。
【００７４】
ユーザーが操作受付部２１を操作して、レンズ調整値設定画面Ｍ２上でアスペクト比および入力端子についてそれぞれ選択して決定すると、制御部２０は、現在のレンズ調整値（フォーカス調整値、ズーム調整値、レンズシフト調整値）を選択された信号アスペクト比および入力端子３０ａに関連付けて、調整値記憶部２２ａに記憶させる。このときの操作受付部２１および制御部２０が記憶制御部に相当する。ここで、「入力されている信号のアスペクト比」とは、信号解析部３２が認識した現在入力されている画像信号のアスペクト比である。また、「現在選択中の入力端子」とは、入力選択部３１が現在選択している入力端子３０ａである。なお、本実施形態では、選択肢のデフォルトは、「入力されている信号のアスペクト比」および「現在選択中の入力端子」とする。また、「レンズ調整値をクリア」が選択されると、制御部２０は、調整値記憶部２２ａに記憶されている全てのレンズ調整値を消去（クリア）する。即ちレンズ調整値が記憶されていない状態にする。なお、調整値記憶部２２ａに記憶されているレンズ調整値は、信号アスペクト比および入力端子毎に消去（クリア）可能としてもよい。例えば、レンズ調整値消去のための画面（図示せず）を表示して、ユーザーに信号アスペクト比および入力端子を選択させ、選択された信号アスペクト比および入力端子に関連付けられたレンズ調整値を消去することが可能である。
【００７５】
次に、信号解析部３２に入力されている画像信号に変化があった際にプロジェクター１００が行うレンズ調整の動作について説明する。
【００７６】
図７は、プロジェクター１００に入力されている画像信号に変化があった際に行うレンズ調整処理のフローチャートである。図７を用いて、画像信号変化時のレンズ調整処理を説明する。
【００７７】
信号解析部３２が入力されている画像信号の変化を検出すると、画像信号に基づく信号アスペクト比を認識し、制御部２０に通知する（ステップＳ２０１）。制御部２０は、入力選択部３１に選択させている入力端子３０ａの種別を取得する（ステップＳ２０２）。制御部２０は、調整値記憶部２２ａに信号アスペクト比および入力端子３０ａの種別に対応したレンズ調整値が記憶されているか否かを判断する（ステップＳ２０３）。
【００７８】
レンズ調整値が記憶されていれば（ステップＳ２０３：ＹＥＳ）、制御部２０は、調整値記憶部２２ａから、信号アスペクト比および入力端子３０ａの種別に対応したフォーカス調整値とズーム調整値とレンズシフト調整値とを取得する（ステップＳ２０４）。このときの制御部２０が調整値選択部に相当する。
【００７９】
制御部２０は、フォーカス制御部２４とズーム制御部２５とレンズシフト制御部２６とに指示を出して、フォーカス調整値とズーム調整値とレンズシフト調整値とに応じたレンズ調整動作を行わせる（ステップＳ２０５）。即ち、フォーカス制御部２４は、取得したフォーカス調整値になるようにフォーカス調整を行い、ズーム制御部２５は、取得したズーム調整値になるようにズーム調整を行い、レンズシフト制御部２６は、取得したレンズシフト調整値になるようにレンズシフト調整を行う。そして、画像信号変化時のレンズ調整処理を終了する。
【００８０】
レンズ調整値が記憶されていなければ（ステップＳ２０３：ＮＯ）、レンズ調整動作を行わずに、画像信号変化時のレンズ調整処理を終了する。
【００８１】
上述した第２の実施形態によれば、以下の効果が得られる。
（１）プロジェクター１００は、入力されている画像信号に変化があった際に、調整値記憶部２２ａから、画像信号の信号アスペクト比および入力端子３０ａの種別に対応したフォーカス調整値とズーム調整値とレンズシフト調整値とを取得する。そして、制御部２０は、フォーカス制御部２４とズーム制御部２５とレンズシフト制御部２６とに指示を出して、フォーカス調整値とズーム調整値とレンズシフト調整値とに応じたレンズ調整動作を行わせる。これにより、ユーザーが画像信号の変更操作を行うことによって、プロジェクター１００は、画像信号の信号アスペクト比の種別および入力端子３０ａの種別に対応したレンズ調整動作を行うため、ユーザーは、レンズ調整のための操作を行う必要がない。つまり、ユーザーは、画像信号を変更し、その画像信号に対応したスクリーン（ＳＣ１，ＳＣ２）に切り替えた場合に、レンズ調整操作を行わなくてもよい。よって、ユーザー操作を簡易化することができる。また、レンズ調整のための時間を短縮することができる。
【００８２】
（２）プロジェクター１００は、レンズ調整値設定画面Ｍ２を表示して、ユーザーにアスペクト比および入力端子３０ａを選択させる。このとき、「入力されている信号のアスペクト比」が選択されると、その時点で入力されている画像信号の信号アスペクト比と、その時点のレンズ調整値とが関連付けられる。また、「現在選択中の入力端子」が選択されると、その時点で選択されている入力端子３０ａと、その時点のレンズ調整値とが関連付けられる。そして、調整値記憶部２２ａに記憶される。これにより、ユーザーは、レンズ調整の作業を戸惑うことなく行うことができる。
【００８３】
（３）プロジェクター１００は、レンズ調整値設定画面Ｍ２を表示して、ユーザーにアスペクト比および入力端子３０ａを選択させる。このとき、「４：３」または「１６：９」が選択されると、選択されたアスペクト比と、現在のレンズ調整値が関連付けられる。また、「コンピューター」、「ビデオ」または「ＨＤＭＩ」が選択されると、選択された入力端子３０ａと、現在のレンズ調整値が関連付けられる。そして、調整値記憶部２２ａに記憶される。これにより、レンズ調整の作業を行っているユーザーは、レンズ調整値を、任意のアスペクト比および任意の入力端子３０ａの種別に関連付けて記憶させることが可能になるため、利便性が高い。
【００８４】
（４）プロジェクター１００は、信号アスペクト比および入力端子３０ａの種別に対応してレンズ調整値（フォーカス調整値、ズーム調整値、レンズシフト調整値）を記憶する。これにより、ユーザーは、入力される画像信号の信号アスペクト比に応じてスクリーンＳＣ１，ＳＣ２を使い分けることが可能となり、利便性が向上する。また、同じスクリーンに対しても、信号アスペクト比の種別および入力端子３０ａの種別に応じてレンズ調整値を変更して使用することも可能であり、有益である。
【００８５】
（第３の実施形態）
第３の実施形態では、出力する画像のアスペクト比（選択アスペクト比）の設定が変更されたときに、その選択アスペクト比に対応したレンズ調整値に基づいてレンズ調整動作を行うプロジェクターについて説明する。
【００８６】
図８は、第３の実施形態に係るプロジェクター２００の回路構成を示すブロック図である。図８を使用して、プロジェクター２００の内部構成について説明する。
【００８７】
プロジェクター２００の回路構成は、図１に示した第１の実施形態のプロジェクター１に対して、選択アスペクト比対応調整値記憶部２７が追加となる。その他の構成部は同様であるため、説明は省略する。
【００８８】
選択アスペクト比対応調整値記憶部２７は、不揮発性のメモリーからなり、選択アスペクト比の種別に対応付けてフォーカス調整値、ズーム調整値、およびレンズシフト調整値を記憶する。選択アスペクト比対応調整値記憶部２７に対するフォーカス調整値、ズーム調整値、およびレンズシフト調整値の書き込みは、制御部２０が行う。また、記憶されたフォーカス調整値、ズーム調整値、およびレンズシフト調整値は、制御部２０によって読み出される。
【００８９】
ここで、選択アスペクト比対応調整値記憶部２７について説明する。
図９は、選択アスペクト比対応調整値記憶部２７の説明図である。図９に示すように、選択アスペクト比対応調整値記憶部２７は、選択アスペクト比の種別に対応したレンズ調整値として、フォーカス調整値、ズーム調整値、レンズシフト調整値を記憶する。本実施形態のプロジェクター２００では、選択アスペクト比の種別として、「ノーマル」、「フル」、「ズーム」および「リアル」を備えている。
【００９０】
本実施形態では、「ノーマル」は、入力画像信号のアスペクト比を固定したまま、水平あるいは垂直方向のサイズを液晶ライトバルブ１２Ｒ，１２Ｇ，１２Ｂの最大解像度いっぱいに広げて画面中央に投写するモードである。「フル」は、画像を液晶ライトバルブ１２Ｒ，１２Ｇ，１２Ｂの解像度いっぱいに広げて投写するモードである。「ズーム」は、入力画像のアスペクトのまま水平方向が液晶ライトバルブ１２Ｒ，１２Ｇ，１２Ｂの解像度いっぱいになるように投写するモードである。このとき、液晶ライトバルブ１２Ｒ，１２Ｇ，１２Ｂをはみ出した分は投写されない。「リアル」は、入力解像度そのままで投写するモードである。
【００９１】
そして、選択アスペクト比対応調整値記憶部２７には、これらの選択アスペクト比の種別に対応して、フォーカス調整値、ズーム調整値、レンズシフト調整値が記憶される。なお、選択アスペクト比の種別はこれらに限定するものではなく、その他の選択アスペクト比の種別を備えてもよい。そして、選択アスペクト比対応調整値記憶部２７は、その他の選択アスペクト比の種別に対応するレンズ調整値を記憶してもよい。
【００９２】
ここで、レンズ調整値を選択アスペクト比の種別に関連付けて選択アスペクト比対応調整値記憶部２７に記憶させるための設定画面について説明する。
図１０は、レンズ調整値を選択アスペクト比の種別に関連付けて設定させるためのレンズ調整値設定画面の説明図である。レンズ調整値設定画面Ｍ３は、ユーザーが操作受付部２１に備わるメニューキーを押下して、所定の操作を行うことにより表示される。本実施形態では、レンズ調整値設定画面Ｍ３は、ＯＳＤ表示とし、制御部２０がＯＳＤ処理部３４に指示を行って表示させる。
【００９３】
図１０に示すように、レンズ調整値設定画面Ｍ３の最上部には、レンズ調整値設定画面であることを示す「レンズ調整値設定」の文字列が表示されている。その下には、レンズ調整値を関連付ける選択アスペクト比の選択を促すための「現在のレンズ調整値と関連付けるアスペクトを選択してください。」の文字列が表示されている。さらに、画面中央には、「ノーマル」、「フル」、「ズーム」、「リアル」および「レンズ調整値をクリア」の選択肢が表示されている。そして、画面下部には、キー入力手順についての説明が表示されている。
【００９４】
ユーザーが操作受付部２１を操作して、レンズ調整値設定画面Ｍ３上で選択アスペクト比を選択して、決定キーによって決定すると、制御部２０は、現在のレンズ調整値（フォーカス調整値、ズーム調整値、レンズシフト調整値）を選択された選択アスペクト比に関連付けて、選択アスペクト比対応調整値記憶部２７に記憶させる。このときの操作受付部２１および制御部２０が選択記憶制御部に相当する。なお、本実施形態では、選択肢のデフォルトは、「ノーマル」とする。また、「レンズ調整値をクリア」が選択されると、制御部２０は、選択アスペクト比対応調整値記憶部２７に記憶されている全てのレンズ調整値を消去（クリア）する。即ちレンズ調整値が記憶されていない状態にする。なお、選択アスペクト比対応調整値記憶部２７に記憶されているレンズ調整値は、選択アスペクト比毎に消去（クリア）可能としてもよい。例えば、レンズ調整値消去のための画面（図示せず）を表示して、ユーザーに選択アスペクト比を選択させ、選択された選択アスペクト比に関連付けられたレンズ調整値を消去することが可能である。
【００９５】
次に、操作受付部２１に備わる投写アスペクト比変更キーが操作されて、選択アスペクト比の種別（「ノーマル」、「フル」、「ズーム」、「リアル」）が切り替えられたときに、プロジェクター２００が行うレンズ調整の動作について説明する。なお、投写アスペクト比切替キーが操作され選択アスペクト比を切り替える際の制御部が、アスペクト比選択部に相当する。
【００９６】
図１１は、プロジェクター２００の選択アスペクト比の種別が切り替えられた際に行うレンズ調整処理のフローチャートである。図１１を用いて、選択アスペクト比切替時のレンズ調整処理を説明する。
【００９７】
操作受付部２１に備わる投写アスペクト比切替キーが操作されて、選択アスペクト比の種別が切り替えられると、制御部２０は画像処理部３３に指示を出して、選択アスペクト比に応じて画像データのアスペクト比を変換させる（ステップＳ３０１）。このときの制御部２０および画像処理部３３が画像アスペクト比変換部に相当する。制御部２０は、選択アスペクト比対応調整値記憶部２７に選択アスペクト比に対応したレンズ調整値が記憶されているか否かを判断する（ステップＳ３０２）。
【００９８】
レンズ調整値が記憶されていれば（ステップＳ３０２：ＹＥＳ）、制御部２０は、選択アスペクト比対応調整値記憶部２７から、選択アスペクト比に対応したフォーカス調整値とズーム調整値とレンズシフト調整値とを取得する（ステップＳ３０３）。このときの制御部２０が調整値選択部に相当する。
【００９９】
制御部２０は、フォーカス制御部２４とズーム制御部２５とレンズシフト制御部２６とに指示を出して、フォーカス調整値とズーム調整値とレンズシフト調整値とに応じたレンズ調整動作を行わせる（ステップＳ３０４）。即ち、フォーカス制御部２４は、取得したフォーカス調整値になるようにフォーカス調整を行い、ズーム制御部２５は、取得したズーム調整値になるようにズーム調整を行い、レンズシフト制御部２６は、取得したレンズシフト調整値になるようにレンズシフト調整を行う。そして、選択アスペクト比切替時のレンズ調整処理を終了する。
【０１００】
レンズ調整値が記憶されていなければ（ステップＳ３０２：ＮＯ）、レンズ調整動作を行わずに、選択アスペクト比切替時のレンズ調整処理を終了する。
【０１０１】
上述した第３の実施形態によれば、以下の効果が得られる。
（１）プロジェクター２００は、選択アスペクト比が切り替えられたときに、選択アスペクト比対応調整値記憶部２７から、選択アスペクト比に対応したフォーカス調整値とズーム調整値とレンズシフト調整値とを取得する。そして、制御部２０は、フォーカス制御部２４とズーム制御部２５とレンズシフト制御部２６とに指示を出して、フォーカス調整値とズーム調整値とレンズシフト調整値とに応じたレンズ調整動作を行わせる。これにより、ユーザーが選択アスペクト比の切替操作を行うことによって、プロジェクター２００は、選択アスペクト比に対応したレンズ調整動作を行うため、ユーザーは、レンズ調整のための操作を行う必要がない。つまり、ユーザーは、選択アスペクト比を切り替え、その選択アスペクト比に対応したスクリーン（ＳＣ１，ＳＣ２）に切り替えた場合に、レンズ調整操作を行わなくてもよい。よって、ユーザー操作を簡易化することができる。また、レンズ調整のための時間を短縮することができる。
【０１０２】
（２）プロジェクター２００は、レンズ調整値設定画面Ｍ３を表示して、ユーザーに選択アスペクト比を選択させる。そして、選択アスペクト比と現在のレンズ調整値と関連付けて選択アスペクト比対応調整値記憶部２７に記憶する。これにより、レンズ調整の作業を行っているユーザーは、レンズ調整値を任意の選択アスペクト比に関連付けて記憶させることが可能になるため、利便性が高い。
【０１０３】
（３）プロジェクター２００は、選択アスペクト比に対応してレンズ調整値（フォーカス調整値、ズーム調整値、レンズシフト調整値）を記憶する。これにより、ユーザーは、選択アスペクト比に応じてスクリーンＳＣ１，ＳＣ２を使い分けることが可能となり、利便性が向上する。また、同じスクリーンに対しても、選択アスペクト比に応じてレンズ調整値を変更して使用することも可能であり、有益である。
【０１０４】
なお、上述した実施形態に限定されず、種々の変更や改良等を加えて実施することが可能である。変形例を以下に述べる。
【０１０５】
（変形例１）上記実施形態では、調整値記憶部２２（２２ａ）および選択アスペクト比対応調整値記憶部２７は、信号アスペクト比の種別や入力端子３０ａの種別、選択アスペクト比の種別毎にレンズ調整値を記憶するものとしたが、それぞれのレンズ調整値（フォーカス調整値とズーム調整値とレンズシフト調整値との組み合わせ）に番号を付与して記憶してもよい。この場合、調整値記憶部２２（２２ａ）および選択アスペクト比対応調整値記憶部２７には、レンズ調整値の番号が関連付けて記憶される。また、レンズ調整値と番号を対応付けるために、例えば、レンズ調整値の番号を記憶させるための画面（図示せず）を表示可能として、ユーザーにレンズ調整値とその番号を記憶させてもよい。そして、レンズ調整値の番号を選択させるための画面（図示せず）を表示可能とすることで、ユーザーにレンズ調整値の番号を選択させて、レンズ調整値を取得し、レンズ調整動作を行うことも可能である。
【０１０６】
（変形例２）上記実施形態における調整値記憶部２２（２２ａ）および選択アスペクト比対応調整値記憶部２７には、記載されている全ての信号アスペクト比の種別、入力端子３０ａの種別、選択アスペクト比の種別に対応してレンズ調整値が記憶されているが、全てに対応してレンズ調整値を記憶する必要はない。例えば、使用しない信号アスペクト比の種別、入力端子３０ａの種別、選択アスペクト比の種別にはレンズ調整値を記憶しないものとし、記憶されていないレンズ調整値を読み出し（取得）しようとした場合には、記憶されていない旨を表す画面を表示してもよい。
【０１０７】
（変形例３）上記実施形態では、選択アスペクト比の選択操作やその他のキー操作は、操作受付部２１に備わる操作キーによって行われるものとしたが、プロジェクター１，１００，２００に通信部（図示せず）を備え、外部の電子機器（図示せず）から通信によって選択アスペクト比の選択操作やその他のキー操作信号を受信してもよい。
【０１０８】
（変形例４）上記実施形態では、光源１１は、放電型の光源ランプ１１ａによって構成されているが、ＬＥＤ（Light Emitting Diode）光源やレーザー等の固体光源や、その他の光源を用いることもできる。
【０１０９】
（変形例５）上記実施形態では、プロジェクター１，１００，２００の光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【０１１０】
１，１００，２００…プロジェクター、１０…画像投写部、１１…光源、１１ａ…光源ランプ、１１ｂ…反射するリフレクター、１２Ｒ，１２Ｇ，１２Ｂ…液晶ライトバルブ、１３…投写レンズ、１３ａ…フォーカスレンズ、１３ｂ…ズームレンズ、１４…ライトバルブ駆動部、２０…制御部、２１…操作受付部、２２，２２ａ…調整値記憶部、２３…光源制御部、２４…フォーカス制御部、２５…ズーム制御部、２６…レンズシフト制御部、２７…選択アスペクト比対応調整値記憶部、３０…入力端子部、３０ａ…入力端子、３１…入力選択部、３２…信号解析部、３３…画像処理部、３４…ＯＳＤ処理部、１３１…フォーカス調整機構、１３２…ズーム調整機構、１３３…レンズシフト調整機構、ＳＣ１，ＳＣ２…スクリーン。
【図１】
0005644600.tif 000002
【図２】
0005644600.tif 000003
【図３】
0005644600.tif 000004
【図４】
0005644600.tif 000005
【図５】
0005644600.tif 000006
【図６】
0005644600.tif 000007
【図７】
0005644600.tif 000008
【図８】
0005644600.tif 000009
【図９】
0005644600.tif 000010
【図１０】
0005644600.tif 000011
【図１１】
0005644600.tif 000012